(57)【要約】      （修正有）【課題】餌や疑似餌に有効な動きを与えるウキの提供。【解決手段】中央フロート部２の縦長が最大幅の２倍以下で、フット３の縦長が中央フロート部２の縦長の１．４倍以上のウキ、中央フロート部の縦長が最大幅の２倍を超えて、フット３の縦長が中央フロート部２の縦長の２倍以上ある水に浮くタイプのウキ、最大幅が５ｃｍ以下でフット３の平均幅が最大幅の１／３以下で中央フロー部２の縦長が最大幅の２．５倍以下でフット３が５ｃｍ以上あるウキ、ウキの下にライン取り付け部が設けられている5ｃｍ以上の糸又はワイヤー又は可動域を持って繋がっている糸やワイヤーでない固形物が繋がっているウキ、フット３の縦長と中央フロート部２の縦長をあわせた長さが最大幅の３倍以上で６０ｍｍ以上でウキがギリギリ浮くオモリの重さ以上で重心が上部にあるウキ、とすることで餌や疑似餌に十分有効な動きを与えられ、ウキが手前に移動しにくくできる。【選択図】図１
2017123835.tif 000002
【特許請求の範囲】
【請求項１】
中央フロート部の縦長が最大幅の２倍以下で、フットの縦長が中央フロート部の縦長の１．４倍以上ある水に浮くタイプのウキ
上記請求及び以降の説明で必要な言葉の定義を以下に行う。ウキをラインに繋げて、その先のラインに餌とフック又は疑似餌やオモリ等の通常のウキの下にある仕掛けを付けて水に浮かべ、仕掛け十分に落下し、その落下が停まっている時を通常姿勢と呼び、図１の様なウキの最大断面積の断面を断面と呼び、その断面がほぼ対称形で、断面をほぼ同じ形に２分する線で、通常姿勢で垂直な線から４０度以内となる線を縦線と呼び、断面内での縦線の長さを縦長と呼び、縦線が、垂直な線から４０度以内となる通常姿勢であることを立っていると呼び、その姿勢になることを立つと呼び、縦線の指す上側を上と呼び、縦線の指す下側を下と呼び、縦線と垂直方向の断面の長さを幅と呼ぶものとする。
一般的なウキには、仕掛けに取り付けて水に浮かべて安定したときに、棒状の上に突き出した部位があり、この部位をトップと呼び、糸と繋げるための部位が下に突き出した部位があり、この部位をフットと呼び、それ以外の中央部を中央フロート部と呼ぶものとする。
【請求項２】
中央フロート部の縦長が最大幅の２倍を超えて、フットの縦長が中央フロート部の縦長の２倍以上ある水に浮くタイプのウキ
【請求項３】
フロート部とフットがハッキリ分かれていない場合、トップを除いた縦長が、最大幅の6倍以下で、トップを除いた先端から２／５の体積が残りの下部３／５の2倍以上ある水に浮くタイプのウキ
【請求項４】
フロート部とフットがハッキリ分かれていない場合、トップを除いた縦長が、最大幅の6倍を越えて、トップを除いた先端から1／３の体積が残りの下部２／３の2倍以上ある水に浮くタイプのウキ
【請求項５】
最大幅が５ｃｍ以下で、フットの平均幅が最大幅の１／3以下で、中央フロー部の縦長が最大幅の２．５倍以下で、フットが５ｃｍ以上ある水に浮くタイプのウキ
【請求項６】
最大幅が５ｃｍを超え10ｃｍ以下で、フットの平均幅が最大幅の１／３以下で、中央フロー部の縦長が最大幅の２．５倍以下で、フットが10ｃｍ以上ある水に浮くタイプのウキ
【請求項７】
最大幅が５ｃｍ以下で、フットの平均幅が最大幅の１／３以下で、中央フロー部の縦長が最大幅の２．５倍以下で、フットの先がウキスイベル等の他のものに連結する構造になっており、フットが３５ｍｍ以上ある水に浮くタイプのウキ
【請求項８】
中央フロート部の下に、ライン取り付け部が設けられている5ｃｍ以上の糸又はワイヤー又はと可動域を持って繋がっている糸やワイヤーでない固形物又は糸又はワイヤー又は糸やワイヤーでない固形物の内の２種以上の複合体で縦長が５ｃｍあるライン取り付け部が設けられているものが繋がっている、水に浮くタイプのウキ
【請求項９】
フットの先に、ライン取り付け部が設けられている糸又はワイヤー又は稼動域をもってフットの先と繋がっている糸やワイヤーでない固形物又は糸又はワイヤー又は糸やワイヤーでない固形物の内の２種以上の複合体が、フットとその先に繋がっているライン取り付け部が設けられている糸又はワイヤー又は稼動域をもってフットの先と繋がっている、固形物又は糸又はワイヤー又は糸やワイヤーでない固形物の内の２種以上の複合体を合わせて５ｃｍ以上の縦長である水に浮くタイプのウキ
【請求項１０】
フットの縦長と中央フロート部の縦長をあわせた長さが最大幅の３倍以上であり更に、６０ｍｍ以上で、ウキの重量がラインと鉛のオモリ以外の仕掛けを付けずウキがギリギリ浮くオモリの重さ以上で、トップを除いたウキの上部１／２が下部１／２の１．５倍以上の重量であるウキ
【発明の詳細な説明】
【技術分野】
【０００１】
釣りに使用する水に浮くタイプのウキ
【背景技術】
【０００２】
リールに巻かれた糸を竿先から出し、その糸にウキを付け、その先の糸に餌又は疑似餌やオモリを付けた仕掛けを使用する釣りが昔からある。
従来でもフットが10ｃｍ以上のウキは存在するが、それらは、最大幅が１０cm  を超えるウキであるか、ウキの感度をよくする等の目的の、細長い形状のものである。
又、既存の発案として、特許情報プラットフォームの特許及び実用新案の簡易検索を、キーワードを、釣りANDウキで行い、その検索結果である１９７件を確認したが、発明が解決しようとする課題が、従来より敏感なウキや、従来よりよく飛ぶウキや、認識しやすいウキ等で、本案件の様に、餌や疑似餌に有効な動きを与えるウキは無かった。
【発明の概要】
【発明が解決しようとする課題】
【０００３】
ウキを使用した釣りにおいても、竿先を揺らしたり、竿先を動かしウキにテンションをかけて、その下の餌や疑似餌を動かし、魚を誘う事でより釣れる場合がある。
しかし、竿先を揺らしたり、竿先を動かしウキにテンションをかけても、ウキが障害となり、その下の餌や疑似餌に十分有効な動きを与えられなかったり、ウキが手前に移動してしまい、有効なウキの位置を保持しにくい問題があった。
又、ウキ下に軽いオモリを付けて、餌又は疑似餌をゆっくりと落下させ、その落下途中で魚にアピールし、落下しきると立ち、ウキが立つ時間が早かったり、遅かったりしたらアタリと見なしあわせる方法も考えられるが、ウキが重くなると軽いオモリでウキが立つ様にするのは難しくなる問題がある。
【課題を解決するための手段】
【０００４】
中央フロート部の縦長が最大幅の２倍以下で、フットの縦長が中央フロート部の縦長の１．４倍以上ある水に浮くタイプのウキ又は、中央フロート部の縦長が最大幅の２倍を超えて、フットの縦長が中央フロート部の縦長の２倍以上ある水に浮くタイプのウキ又は、フロート部とフットがハッキリ分かれていない場合、トップを除いた縦長が、最大幅の6倍以下で、トップを除いた先端から２／５の体積が残りの下部３／５の2倍以上ある水に浮くタイプのウキ又は、フロート部とフットがハッキリ分かれていない場合、トップを除いた縦長が、最大幅の6倍を越えて、トップを除いた先端から1／３の体積が残りの下部２／３の2倍以上ある水に浮くタイプのウキ又は、  最大幅が５ｃｍ以下で、フットの平均幅が最大幅の１／３以下で、中央フロー部の縦長が最大幅の２．５倍以下で、フットが５ｃｍ以上ある水に浮くタイプのウキ又は、最大幅が５ｃｍを超え10ｃｍ以下で、フットの平均幅が最大幅の１／３以下で、中央フロー部の縦長が最大幅の２．５倍以下で、フットが10ｃｍ以上ある水に浮くタイプのウキ又は、最大幅が５ｃｍ以下で、フットの平均幅が最大幅の１／３以下で、中央フロー部の縦長が最大幅の２．５倍以下で、フットの先がウキスイベル等の他のものに連結する構造になっており、フットが３５ｍｍ以上ある水に浮くタイプのウキ又は、中央フロート部の下に、ライン取り付け部が設けられている5ｃｍ以上の糸又はワイヤー又はと可動域を持って繋がっている糸やワイヤーでない固形物又は糸又はワイヤー又は糸やワイヤーでない固形物の内の２種以上の複合体で縦長が５ｃｍあるライン取り付け部が設けられているものが繋がっている、水に浮くタイプのウキ又は、フットの先に、ライン取り付け部が設けられている糸又はワイヤー又は稼動域をもってフットの先と繋がっている糸やワイヤーでない固形物又は糸又はワイヤー又は糸やワイヤーでない固形物の内の２種以上の複合体が、フットとその先に繋がっているライン取り付け部が設けられている糸又はワイヤー又は稼動域をもってフットの先と繋がっている、固形物又は糸又はワイヤー又は糸やワイヤーでない固形物の内の２種以上の複合体を合わせて５ｃｍ以上の縦長である水に浮くタイプのウキ
又は、フットの縦長と中央フロート部の縦長をあわせた長さが最大幅の３倍以上であり更に、６０ｍｍ以上で、ウキの重量がラインと鉛のオモリ以外の仕掛けを付けずウキがギリギリ浮くオモリの重さ以上で、トップを除いたウキの上部１／２が下部１／２の１．５倍の重量であるウキ
キとする。
【発明の効果】
【０００５】
中央フロート部の縦長が最大幅の２倍以下で、フットの縦長が中央フロート部の縦長の１．４倍以上ある水に浮くタイプのウキ又は、中央フロート部の縦長が最大幅の２倍を超えて、フットの縦長が中央フロート部の縦長の２倍以上ある水に浮くタイプのウキ又は、フロート部とフットがハッキリ分かれていない場合、トップを除いた縦長が、最大幅の6倍以下で、トップを除いた先端から２／５の体積が残りの下部３／５の2倍以上ある水に浮くタイプのウキ又は、フロート部とフットがハッキリ分かれていない場合、トップを除いた縦長が、最大幅の6倍を越えて、トップを除いた先端から1／３の体積が残りの下部２／３の2倍以上ある水に浮くタイプのウキ又は、最大幅が５ｃｍ以下で、フットの平均幅が最大幅の１／３以下で、中央フロー部の縦長が最大幅の２．５倍以下で、フットが５ｃｍ以上ある水に浮くタイプのウキ又は、最大幅が５ｃｍを超え10ｃｍ以下で、フットの平均幅が最大幅の１／３以下で、中央フロー部の縦長が最大幅の２．５倍以下で、フットが10ｃｍ以上ある水に浮くタイプのウキにすることで、竿先を揺らしたり、竿先を動かしウキにテンションをかけた際、中央フロー部が回転軸となり、水の抵抗の少ない下部フットが動くことで、ウキの下の餌や疑似餌に十分なアクションを伝えて、ウキの移動を抑えられる。
又、フットが長いと、テコノ応用で、軽いオモリでもウキが立ちやすくなる。
又、最大幅が５ｃｍ以下で、フットの平均幅が最大幅の１／３以下で、中央フロート部の縦長が最大幅の２．５倍以下で、フットの先がウキスイベル等の他のものに連結する構造になっており、フットが３５ｍｍ以上ある水に浮くタイプのウキとする事で、一般のウキスイベル等のウキ下部に装着して遊動タイプとしてラインに装着する釣具は25ｍｍ位なので、その長さとフット長をあわせると６０ｍｍ以上となり、上記と同様な効果が生じる。
又は、フットの縦長と中央フロート部の縦長をあわせた長さが最大幅の３倍以上であり更に、６０ｍｍ以上で、ウキの重量がラインと鉛のオモリ以外の仕掛けを付けずウキがギリギリ浮くオモリの重さ以上で、トップを除いたウキの上部１／２が下部１／２の１．５倍の重量であるウキとする事で、ウキが細長く、その上部にはっきりとした重心があり、更に、ウキの下にある仕掛けに対するウキの重量が重いので、ウキにテンションをかけてウキの下の仕掛けを動かした際、ウキが上部を中心に振り子の様に回転しやすく、ウキが移動しにくい。
又は中央フロート部の下に、ライン取り付け部が設けられている5ｃｍ以上の糸又はワイヤー又はと可動域を持って繋がっている糸やワイヤーでない固形物又は糸又はワイヤー又は糸やワイヤーでない固形物の内の２種以上の複合体で縦長が５ｃｍあるライン取り付け部が設けられているものが繋がっている、水に浮くタイプのウキ又は、フットの先に、ライン取り付け部が設けられている糸又はワイヤー又は稼動域をもってフットの先と繋がっている糸やワイヤーでない固形物又は糸又はワイヤー又は糸やワイヤーでない固形物の内の２種以上の複合体が繋がっている、フットとその先に繋がっているライン取り付け部が設けられている糸又はワイヤー又は稼動域をもってフットの先と繋がっている固形物又は糸又はワイヤー又は糸やワイヤーでない固形物の内の２種以上の複合体を合わせて５ｃｍ以上の縦長である水に浮くタイプのウキとする事で、糸又はワイヤー稼動域をもって繋がっている糸やワイヤーでない固形物の柔軟性により、竿のアクションが通常のウキより、直接下の疑似餌や餌に伝わるので、十分なアクションを餌や疑似餌に与えられ、ウキの移動を抑えられる。
【発明を実施するための最良の形態】
【０００６】
フットの縦長と中央フロート部の縦長をあわせた長さが最大幅の３倍以上であり更に、６０ｍｍ以上で、ウキの重量がラインと鉛のオモリ以外の仕掛けを付けずウキがギリギリ浮くオモリの重さ以上で、トップを除いたウキの上部１／２が下部１／２の１．５倍の重量である、最大幅25ｍｍの球状の中央フロート部と長さ100ｍｍ、平均の幅が3ｍｍのフットのウキの下にワームを付け、その下にオモリをつけて、竿先を振動させたり、竿先を動かしてウキにテンションをかけてウキの下に有るワームにアクションを与えて釣り、ブラックバスが釣れた。
通常のウキを使用しての比較でも、竿先を振動させたり、竿先を動かしてウキにテンションをかけた際のウキの移動が少なくでき有効なウキの位置を保ちやすくでき、少しの竿先の動きでウキの下に付けられたワームに十分な動きが与えられることを確認した。
又、最大幅25ｍｍの球状の中央フロート部から長さ70ｍｍの糸が出ているウキで、上記と同様のテストを行い、同様の結果が得られた。
【図面の簡単な説明】
【０００７】
【図１】ウキの断面
【図２】本発明の一例
【符号の説明】
【０００８】
１  トップ
２  中央フロート部
３  フット
４  糸又はワイヤー
５  縦線
６  隣接する断面の接線と接線のなす断面に対して外側の角度
【図１】
2017123835.tif 000003
【図２】
2017123835.tif 000004